(57)【要約】  異なる向きに様々な種類やサイズの電池を受け入れるための電池レセプタクルシステムが提供される。電池レセプタクルシステムは、第１の位置において第１の正の接点と電気的に接続するために第１の電池の第１の正極を配置するための第１の放射状ノッチ、及び第１の位置とは異なる第２の位置において第１の正の接点と電気的に接続するために第１の電池とは異なるサイズ及び／又は種類の第２の電池の第２の正極を配置するための第２の放射状ノッチを含む。第２の放射状ノッチは、第１の電池の第１の正極が第２の位置において第１の正の接点と電気的に接続することを防ぐように構成される。
2013511810.tif 000002
【特許請求の範囲】
【請求項１】
第１の正の接点から電気的に絶縁された第１の負の接点を含む第１のデュアルコンタクトアセンブリーを備え、前記第１の負の接点及び前記第１の正の接点は、第１の電池が電池レセプタクルシステムにおいて第１の方向にある場合に、前記第１の電池の第１の正極が前記第１の負の接点と電気的に接続することなく前記第１の正の接点が前記第１の電池の前記第１の正極と電気的に接続し、前記第１の電池が前記電池レセプタクルシステムにおいて前記第１の方向とは異なる第２の方向にある場合に、前記第１の電池の第１の負極が前記第１の正の接点と電気的に接続することなく前記第１の負の接点が前記第１の電池の前記第１の負極と電気的に接続し、前記第１の電池とは異なる種類の第２の電池が前記電池レセプタクルシステムにおいて前記第１の方向にある場合に、前記第２の電池の第２の正極が前記第１の負の接点と電気的に接続することなく前記第１の正の接点が前記第２の電池の前記第２の正極と電気的に接続し、前記第２の電池が前記電池レセプタクルシステムにおいて前記第２の方向にある場合に、前記第２の電池の第２の負極が前記第１の正の接点と電気的に接続することなく前記第１の負の接点が前記第２の電池の前記第２の負極と電気的に接続するように構成される、電池レセプタクルシステム。
【請求項２】
前記第１の方向の前記第１の電池の第１の長手方向の軸が前記第２の方向の前記第１の電池の長手方向の軸と同じであり、
前記第１の方向の前記第２の電池の第２の長手方向の軸が前記第２の方向の前記第２の電池の長手方向の軸と同じである請求項１に記載のシステム。
【請求項３】
前記第１の長手方向の軸が前記第２の長手方向の軸と垂直に整列される請求項２に記載のシステム。
【請求項４】
前記第１のデュアルコンタクトアセンブリーは、
第１の位置において前記第１の正の接点と電気的に接続するために前記第１の電池の前記第１の正極を配置する、第１の放射状ノッチと、
前記第１の位置とは異なる第２の位置において前記第１の正の接点と電気的に接続するために前記第２の電池の前記第２の正極を配置する、第２の放射状ノッチと
をさらに含み、前記第２の放射状ノッチは、前記第１の電池の前記第１の正極が前記第２の位置において前記第１の正の接点と電気的に接続することを防ぐように構成される請求項１に記載のシステム。
【請求項５】
前記第１の放射状ノッチは第１の半径を有し、前記第２の放射状ノッチは前記第１の半径よりも小さい第２の半径を有し、前記第２の放射状ノッチは前記第1の放射状ノッチを中断する請求項４に記載のシステム。
【請求項６】
前記第１の半径は約２．７５ミリメートルであり、前記第２の半径は約１．９ミリメートルである請求項５に記載のシステム。
【請求項７】
前記第１の正の接点と前記第１の負の接点との間に配置される絶縁コネクターをさらに備え、
前記絶縁コネクターは前記第１の放射状ノッチ及び前記第２の放射状ノッチを形成する請求項４に記載のシステム。
【請求項８】
前記第１の正の接点及び／又は前記第１の負の接点と電気的に接続するように前記第２の電池を長手方向に保持するために作動可能な機構の動きに対してバイアスを課す、弾性的な機能又は対応する機能を含む、作動可能な機構をさらに備え、前記作動可能な機構は、前記第１の電池が前記電池レセプタクルシステムに挿入される場合に前記電池レセプタクルシステムのハウジングの凹部に後退するように構成される請求項４に記載のシステム。
【請求項９】
第２のデュアルコンタクトアセンブリーをさらに備え、前記第２のデュアルコンタクトアセンブリーは、
第２の負の接点と、
第２の正の接点と、
第３の位置において前記第２の正の接点と電気的に接続するために前記第１の電池の前記第１の正極を配置するための第３の放射状ノッチと、
前記第３の位置とは異なる第４の位置において前記第２の正の接点と電気的に接続するために前記第２の電池の前記第２の正極を配置するための第４の放射状ノッチと
を含む請求項４に記載のシステム。
【請求項１０】
第２の正の接点から電気的に絶縁された第２の負の接点を含む第２のデュアルコンタクトアセンブリーをさらに備え、前記第２の負の接点及び前記第２の正の接点は、前記第１の電池が電池レセプタクルシステムにおいて前記第１の方向にある場合に、前記第１の電池の前記第１の負極が前記第２の負の接点と電気的に接続することなく前記第２の負の接点が前記第１の電池の前記第１の負極と電気的に接続し、前記第１の電池が前記電池レセプタクルシステムにおいて前記第２の方向にある場合に、前記第１の電池の第１の正極が前記第２の負の接点と電気的に接続することなく前記第２の正の接点が前記第１の電池の前記第１の正極と電気的に接続し、前記第２の電池が前記電池レセプタクルシステムにおいて前記第１の方向にある場合に、前記第２の電池の前記第２の負極が前記第２の正の接点と電気的に接続することなく前記第２の負の接点が前記第２の電池の前記第２の負極と電気的に接続し、前記第２の電池が前記電池レセプタクルシステムにおいて前記第２の方向にある場合に、前記第２の電池の前記第２の正極が前記第２の負の接点と電気的に接続することなく前記第２の正の接点が前記第２の電池の前記第２の正極と電気的に接続するように構成される請求項1に記載のシステム。
【請求項１１】
前記第１のデュアルコンタクト・アセンブリーと前記第２のデュアルコンタクトアセンブリーとの間の距離を調整する移動アセンブリーをさらに備え、前記第１のデュアルコンタクトアセンブリー及び／又は前記第２のデュアルコンタクトアセンブリーは、前記第１の電池が前記第１のデュアルコンタクトアセンブリー及び前記第２のデュアルコンタクトアセンブリーと電気的に接続することを可能にするように、第１の位置に対して前記移動アセンブリーを介して調整可能であり、前記第１のデュアルコンタクトアセンブリー及び／又は前記第２のデュアルコンタクトアセンブリーは、前記第２の電池が前記第１のデュアルコンタクトアセンブリー及び前記第２のデュアルコンタクトアセンブリーと電気的に接続することを可能にするように、前記第１の位置とは異なる第２の位置に対して前記移動アセンブリーを介して調整可能である請求項１０に記載のシステム。
【請求項１２】
第２の正の接点から電気的に絶縁された第２の負の接点を含む第２のデュアルコンタクトアセンブリーであって、前記第２の負の接点及び前記第２の正の接点は、前記第１の電池が前記電池レセプタクルシステムにおいて前記第１の方向にある場合に、前記第１の電池の前記第１の負極が前記第２の負の接点と電気的に接続することなく前記第２の負の接点が前記第１の電池の前記第１の負極と電気的に接続し、前記第１の電池が前記電池レセプタクルシステムにおいて前記第２の方向にある場合に、前記第１の電池の前記第１の正極が前記第２の負の接点と電気的に接続することなく前記第２の正の接点が前記第１の電池の前記第１の正極と電気的に接続するように構成される、第２のデュアルコンタクトアセンブリーと、
第３の正の接点から電気的に絶縁された第３の負の接点を含む第３のデュアルコンタクトアセンブリーであって、前記第３の負の接点及び前記第３の正の接点は、前記第２の電池が前記電池レセプタクルシステムにおいて前記第１の方向にある場合に、前記第２の電池の前記第２の負極が前記第３の正の接点と電気的に接続することなく前記第３の負の接点が前記第２の電池の前記第２の負極と電気的に接続し、前記第２の電池が前記電池レセプタクルシステムにおいて前記第２の方向にある場合に、前記第２の電池の第２の正極が前記第３の負の接点と電気的に接続することなく前記第３の正の接点が前記第２の電池の前記第２の正極と電気的に接続するように構成され、前記第３のデュアルコンタクトアセンブリーは前記第１の電池の前記第１の正極が前記第３の正の接点と電気的に接続するのを防ぐように構成される、第３のデュアルコンタクトアセンブリーと
をさらに備える請求項1に記載のシステム。
【請求項１３】
前記第１の正の接点又は前記第１の負の接点と電気的に接続するように前記第２の電池を長手方向に保持するための作動可能な機構をさらに備える請求項1に記載のシステム。
【請求項１４】
前記作動可能な機構は、互いに向かって拡張するようにロードされバイアスされるばねである作動可能な保持アームを含む請求項１３に記載のシステム。
【請求項１５】
前記作動可能な保持アームは、前記第１の電池が前記電池レセプタクルシステムに挿入される場合に前記電池レセプタクルシステムのハウジングの凹部に後退するように構成される請求項１４に記載のシステム。
【発明の詳細な説明】
【技術分野】
【０００１】
本発明は、サイズ及び方向がフレキシブルである電池システムに関する。
【背景技術】
【０００２】
[0001]従来の電池デバイスのソリューションにおいては、ユーザーは、特定の向きに電池を挿入して、正極と負極がデバイス上の対応する極性固有の接点と適切に整列するように注意していた。
【発明の概要】
【発明が解決しようとする課題】
【０００３】
そのような従来のソリューションにおいて電池を誤って方向付けると、電気回路を不活性にするだけでなく、電池や他の電子部品を破損する恐れがある。
[0002]さらに、従来のソリューションでは、デバイスは、特定の種類やサイズの電池を受け入れ、その種類やサイズの電池のみとの電気的接続を維持するように構成されていた。異なる種類やサイズの電池はそのデバイスで使用することができなかった。
【課題を解決するための手段】
【０００４】
[0003]本概要は、詳細な説明において以下にさらに説明される概念の選択を簡略化した形で紹介するために提供される。この概要は、特許請求の主題の重要な又は不可欠な特徴を特定するようには意図されず、特許請求の主題の範囲を限定するために使用されるようにも意図されない。特許請求の主題の他の特徴、詳細、有用性、及び利点は、さらに添付の図面に図示され、添付の特許請求の範囲に規定される様々な実施例及び実施形態についての以下のより具体的に記載された詳細な説明から明らかになろう。
【０００５】
[0004]本開示の一態様によれば、電気的接続を達成するために異なる方向で様々な種類の及び／又はサイズの電池を受け入れる電池レセプタクルシステムが提供される。別の態様によれば、電池レセプタクルシステムは、異なる直径の電池を収容するために調整可能であって、より小さな直径の電池を保持するように拡張し、より大きな直径の電池を妨げないように格納する、作動可能な保持アームを含んでもよい。別の態様によれば、電池レセプタクルシステムは、異なる長さの電池を収容するために調節可能であって、より短い電池を保持するように拡張し、より大きな電池を収容するように格納する、変換アセンブリーを含んでもよい。
【図面の簡単な説明】
【０００６】
【図１Ａ】[0005]異なる方向で異なるサイズ／種類の電池とインタラクトするように構成されたデュアルコンタクトアセンブリーを概略的に示す。
【図１Ｂ】異なる方向で異なるサイズ／種類の電池とインタラクトするように構成されたデュアルコンタクトアセンブリーを概略的に示す。
【図２】[0006]第１の方向でより大きな電池と電気的に接続される図１Ａ−１Ｂのデュアルコンタクトアセンブリーを概略的に示す。
【図３】[0007]第２の方向でより大きな電池と電気的に接続される図１Ａ−１Ｂのデュアルコンタクトアセンブリーを概略的に示す。
【図４】[0008]第１の方向でより小さな電池に電気的に接続される図１Ａ−１Ｂのデュアルコンタクトアセンブリーを概略的に示す。
【図５】[0009]第２の方向でより小さな電池に電気的に接続される図１Ａ−１Ｂのデュアルコンタクトアセンブリーを概略的に示す。
【図６】[0010]電池レセプタクルシステムの実施例を概略的に示す。
【図７】[0011]電池レセプタクルシステムの別の実施例を概略的に示す。
【図８Ａ】[0012]電池レセプタクルシステムの実施例の電気回路図を示す。
【図８Ｂ】電池レセプタクルシステムの実施例の電気回路図を示す。
【図８Ｃ】電池レセプタクルシステムの実施例の電気回路図を示す。
【図９】[0013]作動可能な保持アームを移動させるより大きな電池を備えた電池レセプタクルシステムの実施例の断面図を示す。
【図１０】[0014]作動可能な保持アームによって保持されるより小さな電池を備えた電池レセプタクルシステムの実施例の断面図を示す。
【図１１】[0015]より大きな電池を保持するために圧縮される変換アセンブリーを備えた電池レセプタクルシステムの底面図である。
【図１２】[0016]より小さな電池を保持するように拡張される変換アセンブリーを備えた電池レセプタクルシステムの底面図である。
【発明を実施するための形態】
【０００７】
[0017]本開示は、逆極性に対する保護を備えた、様々な方向で正の接点及び負の接点と電気的に接続される異なる種類の電池を受け入れる電池レセプタクルシステムに関する。多くの場合、電池は、一対の接点アセンブリーに接続される２つの端子（正及び負）を有する。一対の接点アセンブリーは、物理的に２つの異なる方向のうちの一方に電池レセプタクルシステムにおいて電池を物理的に方向付ける可能性を提示する。本明細書に記載される電池レセプタクルシステムの例は、異なる種類の電池がどちらの向きに有効に接続されることを可能にする。言い換えれば、いずれの向きにおいても適切な電気的接続が確立されて、動作を可能にし、１つの種類の電池の唯一の有効な方向を可能にする従来のソリューションにおいて発生し得る電気的／機械的な損傷を避ける。
【０００８】
[0018]例えば、ＡＡ電池又はＡＡＡ電池のいずれも、いずれの向きにも電池レセプタクルシステムに挿入することができ、その結果、正しい極性がデュアルコンタクトアセンブリーに供給される。これにより、ユーザーは、電池の選択及び利用可能性においてはるかに大きな自由及び柔軟性が可能となり、同様に、便利で方向に寛容な設置を可能にする。ここでの例はしばしばＡＡ電池及びＡＡＡ電池の使用に焦点を当てるが、この議論が他の電池及び端子の構成に対して適用可能であることが理解されよう。
【０００９】
[0019]たとえば、電池レセプタクルシステムは、ＡＡＡ電池、ＡＡ電池、Ｃ電池-、Ｄ電池、又は任意の他の適切な円筒型もしくはボタン型の電池を含むさまざまな種類の電池うちの任意のものを受け入れ、それとの有効な電気的接続を達成するように構成することができる。いくつかの実施例では、電池レセプタクルシステムは、異なる向きで２つの異なる種類の電池（例えば、ＡＡ型及びＡＡＡ型）を受け入れるように構成することができる。いくつかの実施例では、電池レセプタクルシステムは、異なる向きで２つより多くの異なる種類の電池（例えば、Ｄ型、Ｃ型、ＡＡ型、及びＡＡＡ型）を受け入れるように構成することができる。
【００１０】
[0020]図１Ａは、２つの異なるサイズ又は種類の電池の正極（positive terminal）又は負極（negative terminal）を受け入れるように構成される、デュアルコンタクトアセンブリー１００の作業側（working sides）を示す。デュアルコンタクトアセンブリー１００は、図２−５の例によって示されるように、第１の方向又は第２のいずれかで対向するデュアルコンタクトアセンブリー間で電池が物理的及び電気的に存在するときに電気的接続を達成するために、電池レセプタクルシステム内の対向するデュアルコンタクトアセンブリーと組み合わせて使用することができる。
【００１１】
[0021]デュアルコンタクトアセンブリーは、負の接点１０２、絶縁コネクター１０４、正の接点１０６を含む。電池が２つの方向のいずれかにある場合に電気的接続を達成するために、電池の負極の実質的に平坦な表面に物理的に接触するように、負の接点１０２は、デュアルコンタクトアセンブリー１００の前面又は内面に配置される。負の接点１０２は、電池が電気的接続を達成するために２つの方向のうちの他方にある場合に電池の正極が負の接点１０２を越えて突出して正の接点１０６に接触することを可能にする、中心に配置されたパススルー領域１０８を形成する。パススルー領域１０８は、正の接点に触れるように配置される場合に正極が負の接点に触れないように、正極の直径よりも大きい。パススルー領域１０８は正極を収容するために中心に配置される。同様に、負極は負の接点の周囲において実質的に負の接点１０２と電気的に接続される。
【００１２】
[0022]絶縁コネクター１０４は、正の接点１０６と負の接点１０２との間に配置されて、当該２つの接点が互いに接触して短絡を引き起こすことを防ぐ。絶縁コネクター１０４は、電池の正極が正の接点１０６に触れるのを可能にするようにパススルー領域１０８と整列される、パススルー領域１１０を形成する。絶縁コネクター１０４によって形成されたパススルー領域１１０は、負の接点１０２によって形成されたパススルー領域１０８よりもわずかに小さくてもよい。これにより、正極が負の接点に触れることなく正極が正の接点１０６と電気的に接続される場合に、絶縁コネクター１０４が正極をサポートすることを可能にする。特に、絶縁コネクター１０４は、正極の湾曲した周縁エッジがパススルー領域を形成する負の接点の薄いエッジに触れることを防ぐ。
【００１３】
[0023]いくつかの実施例において、絶縁コネクターは、負の接点と正の接点との間の電気的接続を防止しつつ、負の接点を正の接点と物理的に接続することができる。いくつかの実施例では、絶縁コネクターは、電気伝導を実質的に制限する電気絶縁材料で作られてもよい。いくつかの実施例では、絶縁コネクターが省略されて、正の接点及び負の接点が互いに電気的に接続しないように十分に遠く離して間隔を空けて配置されてもよい。
【００１４】
[0024]正の接点１０６は、電池の正極が負の接点を越えて突出して正の接点に電気的に接続することを可能にするために、負の接点１０２から凹んでいる。それに応じて、正の接点１０６は負の接点１０２から凹んでいるので、負の接点に電気的に接続するように配置される場合、電池の平坦な負極は正の接点に触れない。さらに、正の接点１０６は、電池の正極と整列されるように、パススルー領域１０８及びパススルー領域１１０を介して中央に露出される。
【００１５】
[0025]突出する正極及び平坦な負極を含む例示的な電池が限定的なものでないことに留意されたい。実際、電池は、正の平坦な端子及び負の突出した端子を有してもよい。以下で説明する回路の極性は、そのような電池を収容するために反転させることができる。
【００１６】
[0026]図１について続けると、デュアルコンタクトアセンブリー１００は、正の接点１０６に電気的に接続するために各々が異なる種類及び／又はサイズの電池の正極を配置するように構成される、異なる部分を含む。デュアルコンタクトアセンブリー１００は、正の接点１０６に電気的に接続するために大きな電池の正極を配置するための大きな放射状ノッチ（切り込み）１１２を形成する第１の部分を含む。図１Ｂに示すように、大きな電池の正極は、正の接点の上限位置１１６において正の接点１０６と接続する。大きな放射状ノッチ１１２は、上限位置１１６を中心とした半径Ａを有する。大きな放射状ノッチ１１２は、電気的接続を維持するために、位置１１６において電池を保持するのに役立つように、大きな電池においてわずかな軸圧縮を提供するために、大きな電池の正極の直径を収容する直径を有する。大きな放射状ノッチ１１２は、左側の円弧セグメント１２２及び右側の円弧セグメント１２４によって形成される。左側の円弧セグメント１２２と右側の円弧セグメント１２４は、ギャップ１２０が左側の円弧セグメントと右側の円弧セグメントとの間に形成されるように、小さな放射状ノッチ１１４を形成する第２の部分によって中断される。
【００１７】
[0027]小さな放射状ノッチ１１４は、正の接点１０６に電気的に接続するために小さな電池の正極を配置する。図１Ｂに示すように、小さな電池の正極は正の接点上のより低い位置１１８において正の接点１０６と接続する。小さな放射状ノッチ１１４は、より大きな放射状ノッチ１１２の半径Ａよりも小さい、より低い位置１１８を中心とする半径Ｂを有する。小さな放射状ノッチ１１４は、電気的接続を維持するために電池を適当な位置に保持するのに役立つように、小さな電池上にわずかな軸圧縮を提供するために、小さな電池の正極の直径を収容する直径を有する。
【００１８】
[0028]図示される例において、大きな電池が電気的に正の接点と接続する上限位置１１６と小さな電池が正の接点と電気的に接続するより低い位置１１８とが垂直に整列されるように、小さい放射状ノッチ１１４と大きな放射状ノッチ１１２とが垂直に整列される。本開示の意図した範囲から逸脱することなく他の構成を使用することができる。ギャップ１２０は、小さな電池の小さい直径の正極が、大きな電池が正の接点と接続する位置１１６において正の接点１０６と電気的に接続することを防ぐ。
【００１９】
[0029]対照的に、異なるサイズの電池を収容するように構成された異なるサイズの放射状ノッチを含まない従来のソリューションでは、小さな電池の正極を確保することができず、むしろ大きな放射状ノッチ内で移動する場合があり、そのため、電池を保持することも、正の接点との電気的接続を維持することもできない。
【００２０】
[0030]一方、デュアルコンタクトアセンブリー１００のギャップ１２０は、小さな電池の正極が、正の接点との電気的な接続に固定されるべき小さな放射状ノッチに入ることを可能にする。さらに、小さな放射状ノッチの直径が大きな電池の正極の直径よりも小さいので、小さい放射状ノッチ１１４は、大きな電池の正極が低い位置１１８において正の接点１０６と電気的に接続することを防ぐ。
【００２１】
[0031]図示される実施例において、絶縁コネクター１０４は、大きい放射状ノッチ１１２及び小さい放射状ノッチ１１４を形成する。大きな放射状ノッチと小さい放射状ノッチが、デュアルコンタクトアセンブリーの任意の適切な要素によって形成されてもよいことが理解されよう。いくつかの実施例では、放射状ノッチは、異なる電池配置を提供するために、デュアルコンタクトアセンブリー上に異なった方法で配置することができる。いくつかの実施例では、放射状ノッチ以外の構造が、異なる種類の電池の正極をサポートするために使用されてもよい。いくつかの実施例では、デュアルコンタクトアセンブリーは、２つより多くの異なる種類の電池の正極を収容するために、異なるサイズを有する２つより多くの放射状ノッチを含んでもよい。
【００２２】
[0032]デュアルコンタクトアセンブリーの放射状ノッチの各々が異なる種類の電池を収容するようなサイズにされることが理解されよう。さらに、異なる放射状ノッチは異なる種類の電池の異なる組み合わせを収容するように、異なるサイズにされてもよい。たとえば、デュアルコンタクトアセンブリーは、ＡＡＡ電池又はＡＡ電池のいずれかを受け入れるように構成された放射状ノッチを含んでもよい。別の例として、デュアルコンタクトアセンブリーは、ＡＡ電池又はＣ電池のいずれかを受け入れるように構成された放射状ノッチを含んでもよい。さらに別の例として、デュアルコンタクトアセンブリーは、Ｃ電池又はＤ電池のいずれかを受け入れるように構成された放射状ノッチを含んでもよい。
【００２３】
[0033]以下の表は、異なる種類の電池についてのデュアルコンタクトアセンブリーの上記の放射状ノッチのおおよその寸法（ミリメートル単位）を示す。寸法Ａは大きい放射状ノッチの半径に対応する。寸法Ｂは小さい放射状ノッチの半径に対応する。寸法Ｃは、大きな電池を収容するために負の接点１０２によって形成されたパススルー領域１０８の第１の部分の半径に対応する。寸法Ｄは、小さな電池を収容するために負の接点１０２によって形成されたパススルー領域１０８の第２部分の半径に対応する。大きな電池の正極が正の接点と電気的に接続される場合に正極が負の接点に触れないように、寸法Ｃは、寸法Ａよりもわずかに大きいサイズにされる。同様に、小さな電池の正極が正の接点と電気的に接続される場合に正極が負の接点に触れないように、寸法Ｄは、寸法Ｂよりもわずかに大きいサイズにされる。寸法Ｅは大きな電池及び小さな電池の電池の軸の中心線−換言すれば、つまり、大きな電池が正の接点と電気的に接続されるように配置される上限位置及び小さな電池が正の接点と電気的に接続されるように配置されるより低い位置−間の距離である。
【００２４】
【表１】
2013511810.tif 000003
【００２５】
[0034]図２−５は、異なる種類／サイズの電池が電池レセプタクルシステム２００において異なる方向でデュアルコンタクトアセンブリー１００とどのようにして接続することができるかについての例を概略的に示す。図２は、正極２０４が正の接点１０６と電気的に接続する第１の方向の大きな電池２０２を示す。大きな電池２０２が第１の方向にあるとき、正の接点１０６は、大きな電池の正極が負の接点１０２に電気的に接続することなく、大きな電池２０２の正極２０４と電気的に接続するように構成される。説明の明確化のために、大きな電池の正極と負の接点との間のギャップは黒い実線で示される。大きな電池２０２が第１の方向にあるとき、大きな電池の正極２０４は、大きな電池の長手方向の軸Ａ−Ａに一致する位置１１６において正の接点１０６と電気的に接続する。
【００２６】
[0035]図３は、大きな電池の負極２０６がデュアルコンタクトアセンブリー１００の負の接点１０２と電気的に接続する第２の方向にある大きな電池２０２を示す。大きな電池２０２が第２の方向にあるとき、負の接点１０２は、大きな電池の負極が正の接点１０６と電気的に接続することなく、大きな電池２０２の負極２０６と電気的に接続するように構成される。大きな電池２０２が第２の方向にあるとき、大きな電池の長手方向の軸Ａ−Ａは位置１１６と実質的に整列される。言い換えれば、大きな電池２０２は、第１の方向と第２の方向の両方において同じ軸アライメントを維持する。
【００２７】
[0036]図４は、小さな電池の正極２１０がデュアルコンタクトアセンブリー１００の正の接点１０６と電気的に接続する、第１の方向の小さな電池２０８を示す。小さな電池２０８は、小さい直径、短い長さ、及び、大きな電池の正極の直径より小さい直径を有する正極を有する。小さな電池２０８が第１の方向にあるとき、正の接点１０６は、小さな電池の正極が負の接点１０２と電気的に接続することなく、小さな電池２０８の正極２１０と電気的に接続するように構成される。説明の明確化のために、小さな電池の正極と負の接点との間のギャップは黒い実線で示される。小さな電池２０８が第１の方向にあるとき、小さな電池の正極２１０は、小さな電池の長手方向の軸Ｂ−Ｂと一致する位置１１８において、正の接点１０６と電気的に接続する。
【００２８】
[0037]図５は、小さな電池の負極２１２がデュアルコンタクトアセンブリー１００の負の接点１０２と電気的に接続する第２の方向の小さな電池２０８を示す。小さな電池２０８が第２の方向にあるとき、負の接点１０２は、小さな電池の負極が正の接点１０６に電気的に接続することなく、小さな電池２０８の負極２１２に電気的に接続するように構成される。小さな電池２０８が第２の方向にあるとき、小さな電池の長手方向の軸Ｂ−Ｂは、位置１１８と実質的に整列される。言い換えれば、小さな電池２０８は、第１の方向と第２の方向の両方で同じ軸アライメントを維持する。
【００２９】
[0038]図6は、第１のデュアルコンタクトアセンブリー６０２及び第２のデュアルコンタクトアセンブリー６０４を含む電池レセプタクルシステム６００の実施例を概略的に示す。図の簡略化のため、第１のデュアルコンタクトアセンブリー６０２及び第２のデュアルコンタクトアセンブリー６０４は、作業側が同じ方向を向くように示される。しかし、対向するデュアルコンタクトアセンブリーが実際には作業側が互いに向かいあうように方向付けられなければならないことが理解されるべきである。さらに、以下に図１１及び１２を参照して記載されるように、変換アセンブリーは、異なる長さを有する電池を収容するために、対向するデュアルコンタクトアセンブリー間の距離を変更するために使用されてもよい。デュアルコンタクトアセンブリーの各々は正の接点と負の接点を含む。さらに、デュアルコンタクトアセンブリーの各々は、正極がそのデュアルコンタクトアセンブリーの負の接点と電気的に接続することなく当該デュアルコンタクトアセンブリーの正の接点と電気的に接続するために、特定の種類及び／又はサイズの電池（例えば、ＡＡ型、ＡＡＡ型など）の正極を配置するように構成された異なる放射状ノッチを含む。このような特徴により、異なる種類の電池が、電池レセプタクルシステムにおいて異なる方向でデュアルコンタクトアセンブリーとの電気的接続を達成することを可能にする。さらに、このような特徴により、電子デバイスにおけるよりフレキシブルな電源パワー／電源充電の選択肢を提供することができ、逆分極による電池やコンポーネントの損傷の可能性を減らすことができる。
【００３０】
[0039]例えば、大きな電池が電池レセプタクルシステム６００において第１の方向に挿入されるとき、大きな電池の正極は、大きな電池の正極が第１のデュアルコンタクトアセンブリーの負の接点に電気的に接続することなく、第１のデュアルコンタクトアセンブリー６０２の正の接点と電気的に接続する。それに応じて、大きな電池の負極は、大きな電池の負極が第２のデュアルコンタクトアセンブリーの正の接点と電気的に接続することなく、第２のデュアルコンタクトアセンブリー６０４の負の接点と電気的に接続する。大きな電池が第１の方向にあるとき、大きな電池は長手方向の軸Ａ−Ａを有する。
【００３１】
[0040]大きな電池が電池レセプタクルシステム６００において第２の方向に挿入される場合、大きな電池の正極は、大きな電池の正極が第２のデュアルコンタクトアセンブリーの負の接点と電気的に接続することなく、第２のデュアルコンタクトアセンブリー６０４の正の接点に電気的に接続する。それに応じて、大きな電池の負極は、大きな電池の負極が第１のデュアルコンタクトアセンブリーの正の接点と電気的に接続することなく、第１のデュアルコンタクトアセンブリー６０２の負の接点と電気的に接続する。大きな電池が第２の方向にあるとき、大きな電池は同じ長手方向の軸Ａ−Ａを有する。言い換えれば、大きな電池は第１の方向と第２の方向の両方で同じ軸アライメントを維持する。
【００３２】
[0041]別の例として、小さな電池が電池レセプタクルシステム６００において第１の方向に挿入されたとき、小さな電池の正極は、小さな電池の正極が第１のデュアルコンタクトアセンブリーの負の接点と電気的に接続することなく、第１のデュアルコンタクトアセンブリー６０２の正の接点と電気的に接続する。それに応じて、小さな電池の負極は、小さな電池の負極が第２のデュアルコンタクトアセンブリーの正の接点と電気的に接続することなく、第２のデュアルコンタクトアセンブリー６０４の負の接点と電気的に接続する。小さな電池が第１の方向にあるとき、小さな電池は長手方向の軸Ｂ−Ｂを有する。
【００３３】
[0042]小さな電池が電池レセプタクルシステム６００において第２の方向に挿入される場合、小さな電池の正極は、小さな電池の正極が第２のデュアルコンタクトアセンブリーの負の接点と電気的に接続することなく、第２のデュアルコンタクトアセンブリー６０４の正の接点と電気的に接続する。それに応じて、小さな電池の負極は、小さな電池の負極が第１のデュアルコンタクトアセンブリーの正の接点と電気的に接続することなく、第１のデュアルコンタクトアセンブリー６０２の負の接点と電気的に接続する。小さな電池が第２の方向に挿入される場合、当該小さな電池は、同じ長手方向の軸Ｂ−Ｂを有する。言い換えれば、小さな電池は第１の方向と第２の方向の両方で同じ軸アライメントを維持する。
【００３４】
[0043]デュアルコンタクトアセンブリーは、大きな電池又は小さな電池がいずれの向きにあるときにもその長手方向の軸が互いに垂直に整列され及び／又は実質的に平行になるように、大きな電池及び小さな電池を配置するように構成することができる。
【００３５】
[0044]図7は、第１のデュアルコンタクトアセンブリー７０２、第２のデュアルコンタクトアセンブリー７０４、及び第３のデュアルコンタクトアセンブリー７０６を含む電池レセプタクルシステム７００の別の実施例を概略的に示す。図の簡略化のため、第１のデュアルコンタクトアセンブリー７０２、第２のデュアルコンタクトアセンブリー７０４、及び第３のデュアルコンタクトアセンブリー７０６は、作業側が同じ方向を向いているように示される。しかし、対向するデュアルコンタクトアセンブリーが実際には作業側が互いに向かい合うように方向付けられなければならないことが理解されるべきである。言い換えると、デュアルコンタクトアセンブリー７０２の作業側は、実際には、デュアルコンタクトアセンブリー７０４及びデュアルコンタクトアセンブリー７０６の両方の作業側と向かい合う。
【００３６】
[0045]第１のデュアルコンタクトアセンブリー７０２は、異なる向きに異なるサイズの電池を受け入れるように構成される。第２のデュアルコンタクトアセンブリー７０４は、異なる方向に大きな電池を受け入れるように構成される。特に、第２のデュアルコンタクトアセンブリー７０４は、第２のデュアルコンタクトアセンブリーの正の接点と電気的に接続するために大きな電池の正極を配置するための放射状ノッチ７０８を含む。第３のデュアルコンタクトアセンブリー７０６は、異なる方向に小さな電池を受け入れるように構成される。より具体的には、第３のデュアルコンタクトアセンブリー７０６は、第３のデュアルコンタクトアセンブリーの正の接点と電気的に接続するために小さな電池の正極を配置するための放射状ノッチ７１０を含む。
【００３７】
[0046]第３のデュアルコンタクトアセンブリー７０６は、大きな電池が第１のデュアルコンタクトアセンブリー７０２及び第２デュアルコンタクトアセンブリー７０４と電気的に接続するのをを妨げないように、電池レセプタクルシステム７００内で第２のデュアルコンタクトアセンブリー７０４の下に配置してもよい。たとえば、第３のデュアルコンタクトアセンブリーは、電池レセプタクルシステム７００のフロアに、ある角度で、埋め込むことができる。同様に、第２のデュアルコンタクトアセンブリー７０４は電池レセプタクルシステム７００内で第３のデュアルコンタクトアセンブリー７０６の上に配置されるので、第２のデュアルコンタクトアセンブリーは、小さな電池が第１のデュアルコンタクトアセンブリー７０２及び第３のデュアルコンタクトアセンブリー７０６と電気的に接続するを妨げない。このような特徴は、異なる種類の電池が、電池の異なる種類及び／又は長さに応じて、第１のデュアルコンタクトアセンブリー７０２及び第２のデュアルコンタクトアセンブリー７０４又は第３のデュアルコンタクトアセンブリー７０６のいずれかと、異なる方向で電気的接続を達成することを可能にする。
[0047]たとえば、大きな電池が電池レセプタクルシステム７００の第１の方向に挿入されるとき、大きな電池の正極は、大きな電池の正極が第１のデュアルコンタクトアセンブリーの負の接点と電気的に接続することなく、第１のデュアルコンタクトアセンブリー７０２の正の接点と電気的に接続する。それに応じて、大きな電池の負極は、大きな電池の負極が第２のデュアルコンタクトアセンブリーの正の接点と電気的に接続することなく、第２のデュアルコンタクトアセンブリー７０４の負の接点と電気的に接続する。
[0048]大きな電池が電池レセプタクルシステム７００において第２の方向に挿入される場合、大きな電池の正極は、大きな電池の正極が第２のデュアルコンタクトアセンブリーの負の接点と電気的に接続することなく、第２のデュアルコンタクトアセンブリー７０４の正の接点と電気的に接続する。それに応じて、大きな電池の負極は、大きな電池の負極が第１のデュアルコンタクトアセンブリーの正の接点と電気的に接続することなく、第１のデュアルコンタクトアセンブリー７０２の負の接点と電気的に接続する。
【００３８】
[0049]別の例として、小さな電池が電池レセプタクルシステム７００において第１の方向に挿入されるとき、小さな電池の正極は、小さな電池の正極が第１のデュアルコンタクトアセンブリーの負の接点と電気的に接続することなく、第１のデュアルコンタクトアセンブリー７０２の正の接点と電気的に接続する。それに応じて、小さな電池の負極は、小さな電池の負極が第３のデュアルコンタクトアセンブリーの正の接点と電気的に接続することなく、第３のデュアルコンタクトアセンブリー７０６の負の接点と電気的に接続する。
【００３９】
[0050]小さな電池が電池レセプタクルシステム７００において第２の方向に挿入される場合、小さな電池の正極は、小さな電池の正極が第３のデュアルコンタクトアセンブリーの負の接点と電気的に接続することなく、第３のデュアルコンタクトアセンブリー７０６の正の接点と電気的に接続する。それに応じて、小さな電池の負極は、小さな電池の負極が第１のデュアルコンタクトアセンブリーの正の接点と電気的に接続することなく、第１のデュアルコンタクトアセンブリー７０２の負の接点と電気的に接続する。
【００４０】
[0051]大きな電池は第１の方向と第２の方向の両方で同じ軸アライメントＡ−Ａを維持する。同様に、小さな電池は第１の方向と第２の方向の両方で同じ軸アライメントＣ−Ｃを維持する。デュアルコンタクトアセンブリーは、大きな電池及び小さな電池を、大きな電池又は小さな電池がいずれの向きにあるときにもそれらの長手方向の軸が垂直に整列されるように配置するよう構成することができる。デュアルコンタクトアセンブリーは、大きな電池及び小さな電池を、大きな電池又は小さな電池がいずれの向きにあるときにもそれらの長手方向の軸が偏っている（すなわち、並行でない）ように配置するよう構成することができる。
【００４１】
[0052]電池レセプタクルシステム７００は単一のサイズの電池を収容するように構成される第２及び第３のデュアルコンタクトアセンブリーを含んでいるが、第２及び第３のデュアルコンタクトアセンブリーが第１のデュアルコンタクトアセンブリーのように構成されてもよいことが理解されるべきである。同じ部品を使用することによって製造コストが低減できる。別の例示的な実施例として、同じ部品を使用する代わりに、第１のデュアルコンタクトアセンブリー６０２及び／又は第２のデュアルコンタクトアセンブリー６０４は、同じ電池のサイズ／タイプ（すなわち、電池自体の製造ばらつきの観点から、小さなＡＡ又は大きなＡＡ）内でのサイズの変化を可能にするためにばね又は対応する機能を含んでもよい。このように、電気伝導性を、製造ばらつきにもかかわらず、容易にすることができる。同様に、第１のデュアルコンタクトアセンブリー７０２、第２のデュアルコンタクトアセンブリー７０４、及び／又は第３の者のデュアルコンタクトアセンブリー７０６は、同じ電池サイズ／タイプ（すなわち、電池自体の製造上のばらつきの点で小さなＡＡ又は大きなＡＡ）内のサイズの変化を許容するように、ばね又は対応する機能を含んでもよい。このように、電気伝導性は、製造ばらつきにもかかわらず、容易にすることができる。
【００４２】
[0053]図８Ａ−８Ｃは、電気的接続が上記の電池レセプタクルシステムにおいてどのように達成することができるかについての概略図を示す。図８Ａにおいて、電気トレース８０２及び８０４は、電池８００によって電力供給されるデバイスの電気回路（図示せず）の電気回路（図示せず）に向かうそれぞれの結線８０６、８０８に接続されるように、概略的に示される。電池８００は概略的に示され、図８Ａの回路に接続されない。また、それぞれのデュアルコンタクトアセンブリー８１０ａ及び８１０ｂが、それらのそれぞれの正の接点８１２ａ及び８１２ｂ、並びに負の接点８１４ａ及び８１４ｂとともに示される。電池８００は図８Ａにおいて比較的中立的な位置に示され、それぞれの正極及び負極８１６及び８１８はデュアルコンタクトアセンブリーの接点のいずれにも触れない。さらに、図８Ｂに示す接続へ向かう方向Ｂ又は図８Ｃに示す接続に向かう方向Ｃのいずれかでの電池の回転についての指示が提供される。
【００４３】
[0054]図８Ｂにおいて、電池８００は、デュアルコンタクトアセンブリー８１０ａの正接点８１２ａに接触する正極８１６と接続されるように、示される一方、電池８００の負極８１８はデュアルコンタクトアセンブリー８１０ｂの負の接点８１４ｂに接触している。閉じた電気経路をそれぞれのトレース８０２及び８０４の実線部分によって図８Ｂに示し、それにより、それぞれの正及び負の結線８０６及び８０８への電流フローを提供する。未使用のコンタクトは、使用されるものにまだ電気的に接続されるが、閉回路には関与しない。
【００４４】
[0055]電池及び電流の流れの実質的に反対の方向を図８Ｃに示し、ここで電池８００は、図８ＡのＣ方向に回転され、それによって、デュアルコンタクトアセンブリー８１０ｂの正の接点８１２ｂに接触する正極８１６と接続されるように示される一方、電池８００の負極８１８は、デュアルコンタクトアセンブリー８１０ａの負の接点８１４ａと接触する。それぞれのトレース８０２及び８０４の実線部分によって、図８Ｂとは対象的な、閉じた電気経路が図８Ｃに示され、それによって、それぞれの正及び負の結線８０６及び８０８に電流フローを提供する。ここでも、未使用の接点は使用されているものにまだ電気的に接続されるが、閉回路には関与しない。
【００４５】
[0056]図９−１０は、電池レセプタクルシステム９００の実施例の断面である。電池レセプタクルシステム９００は、電気的接続を達成するために、異なるサイズ／タイプの電池が、第１のデュアルコンタクトアセンブリー９０４と第２のデュアルコンタクトアセンブリー９２２（図１１−１２に示す）との間で異なる方向に挿入され得る、ハウジング９１２を含む。異なる直径サイズを有する電池を収容するために、電池レセプタクルシステム９００は、作動可能な機構９０６を含む。作動可能な機構９０６は、デュアルコンタクトアセンブリーと電気的に接続する小さな電池を長手方向に保持するために、作動可能な機構の動きに対してバイアスを課す、弾性的な又は対応する機能を含んでもよい。図示される実施例では、作動可能な機構９０６は、デュアルコンタクトアセンブリーと電気的に接続する小さな直径の電池を長手方向に保持するために選択的に作動させることができる、保持アームを含む。それに応じて、作動可能な機構９０６は、電池とハウジング９１２との間の圧縮力を介して、デュアルコンタクトアセンブリーとの電気的接続を維持することができる、大きな直径の電池を収容するために、格納できるように構成される。
[0057]図示される実施例では、作動可能な機構９０６の作動可能な保持アームはピボット９０８のまわりで半径方向に作動する。ピボット９０８は、電池レセプタクルシステム９００に挿入された電池の長手方向の軸と実質的に平行に配置される。作動可能な保持アームは、作動可能な保持アーム間に小さな直径の電池を保持するように圧縮を提供するために、互いに向かって拡張するように保持アームをバイアスする、ねじりばね９２０（図１１−１２に示される）によってロードされるばねである。
【００４６】
[0058]図９は、作動可能な保持アーム９０６を移動させるのに十分な大きさの直径を有する大きな電池９１０を示す。大きな電池９１０は、大きな電池９１０が電池レセプタクルシステム９００に挿入されるときに、作動可能な保持アームをハウジング９１２内のそれぞれの凹部９１４及び９１６へと後退させるねじりばね９２０のスプリング力を克服するのに十分に大きく及び／又は重い。いくつかの実施例において、ハウジングは、大きな電池をしっかりと固定するのに役立つ下向きの力を印加するための構造（例えば、電池の区画の蓋）を含んでもよい。作動可能な保持アームは、大きな電池が第１のデュアルコンタクトアセンブリー９０４及び第２のデュアルコンタクトアセンブリー９２２（図１１−１２に示す）の間に電気的に接続することを妨げないようにするために、それぞれの凹部９１４及び９１６に対して作動する。９２８において、図9はまた、大きな電池も小さな電池も設置されない空の電池ベイ（battery bay）を示す。
【００４７】
[0059]図１０は大きな電池９１０よりも小さい直径を有する小さな電池９０２を示す。図１０において、小さな電池９０２は、作動可能な機構９０６によって、第１のデュアルコンタクトアセンブリー９０４及び第２のデュアルコンタクトアセンブリー９２２（図１１−１２に示す）と電気的に接続するよう保持される。小さな電池９０２は、小さな電池９０２が作動可能な機構９０６の作動可能な保持アーム間に配置されるように、ねじりばね９２０（図１１−１２に示す）のバネ力を一時的に克服するのに十分な力をもって電池レセプタクルシステム９００のハウジング９１２に挿入されてもよい。小さな電池９０２が作動可能な保持アームの間に配置される場合、ねじりばね９２０（図１１−１２に示す）のバネ力は、作動可能な保持アームを、互いに向かって拡張し、小さな電池９０２を第１のデュアルコンタクトアセンブリー９０４及び第２のデュアルコンタクトアセンブリー９２２と電気的に接続するように保持するよう、バイアスする。作動可能な機構９０６は、デュアルコンタクトアセンブリーの正の接点と電気的に接続するように正極を配置するためにデュアルコンタクトアセンブリーの放射状ノッチと正極を整列させるよう、小さな電池を中心におく。
【００４８】
[0060]作動可能な保持アームは、電池が作動可能な保持アームとより簡単に相互作用することができるように、作動可能な保持アームの移動（変位）を容易にする機能を含んでもよい。図示される実施例では、作動可能な機構９０６の作動可能な保持アームは、電池が作動可能な保持アーム間でスライドすることができるように、電池の湾曲したエッジ端から傾斜したエッジ９１８を含む。いくつかの実施例では、作動可能な保持アームは、電池のアドミタンスに適応するために、低摩擦面及び／又はローラーを含んでもよい。いくつかの実施例では、作動可能な保持アームは、電池のアドミタンスに適用するために斜めのエッジを含んでもよい。いくつかの実施例では、作動可能な保持アームは、電池を挿入するために作動可能な保持アームを移動させるためにユーザによって把持又は操作することができるタブや他の機能を含んでもよい。いくつかの実施例では、電池レセプタクルシステム９００は、作動可能な保持アームが互いに対して閉じることを防止するように構成することができる（例えば、作動可能な保持アーム及び／又はハウジングは機械的な止め具（mechanical stop）を含んでもよい）。
【００４９】
[0061]図９及び１０に示される例示的な電池レセプタクルシステム９００は限定的なものではない。対向するデュアルコンタクトアセンブリーと電気的に接続する電池を固定するための任意の適切な機構を使用することができる。たとえば、いくつかの実施例では、電池が電池レセプタクルシステムのハウジングに挿入されるときに、作動可能な保持アームは、回転する代わりに、横方向に作動してもよい。たとえば、各作動可能な保持アームは、横方向に作動するようにロードされ、小径の電池を保持するために互いに向かって拡張するようにバイアスされる、ばねであってもよい。さらに、作動可能な保持アームは、大径の電池を収容するために、電池レセプタクルシステムのハウジングにおける凹部に対して横方向に移動させることができる。さらに別の例は、小さな電池を中心におくことができるが大きな電池を収容するために移動させることができる、対応する、ゴム、エラストマー、発泡体又は別の材料を使用してもよい。
【００５０】
[0062]９２８において、図１０はまた、大きな電池も小さな電池も設置されない空の電池ベイを示す。
[0063]図１１−１２は電池レセプタクルシステム９００の底面図である。電池レセプタクルシステム９００は、異なる長さの電池を電気的に接続するよう保持するために第１のデュアルコンタクトアセンブリー９０４と第２のデュアルコンタクトアセンブリー９２２との間の距離を調整するための、移動アセンブリー（moving assembly）９２４を含む。図示される実施例では、移動アセンブリー９２４は、第２のデュアルコンタクトアセンブリー９２２に結合されるコイルばね９２６を含む。電池が電池レセプタクルシステム９００のハウジング９１２に挿入される場合、コイルばね９２６が圧縮され、コイルばねのばね力が、第１のデュアルコンタクトアセンブリー９０４及び第２のデュアルコンタクトアセンブリー９２２と電気的に接続するように電池を保持する。第２のデュアルコンタクトアセンブリー９２２及び／又は移動アセンブリー９２４は、コイルばね９２６が伸縮するときに第２のデュアルコンタクトアセンブリーの動きを導くために、ハウジング９１２によって形成される滑り継ぎ手（sliding joint）（例えば、直動関節、Ｖ字型の継ぎ手など）と相互接続することができる。このような構成は限定的なものではない。対向するデュアルコンタクトアセンブリーの相対的な配置を変更するための任意の適切な機構を使用することができる。たとえば、移動アセンブリーは、1つ又は複数のデュアルコンタクトアセンブリーの位置を変更するために、移動し、収縮し、回転し及び／又は一端が飛び出すことができる。コイルばね以外のばねを使用することができることが理解されよう。たとえば、放射状又はねじりばねを使用することができる。また、対応するゴム、エラストマー、金属、プラスチック、発泡体、又は他の材料から構成される線形バネを使用することができる。関節のスライド以外のアライメント機構を使用できることが理解されよう。
【００５１】
[0064]図１１は、電池レセプタクルシステム９００のハウジング９１２内に挿入された大きな電池９１０を示す。大きな電池９１０が電池レセプタクルシステム９００のハウジング９１２に挿入されると、コイルばね９２６が圧縮され、第１のデュアルコンタクトアセンブリー９０４と第２のデュアルコンタクトアセンブリー９２２との間の距離は電池が挿入されない場合の位置に対して増加される。コイルばね９２６のばね力は、第１のデュアルコンタクトアセンブリー９０４及び第２のデュアルコンタクトアセンブリー９２２の間の電気的接続を維持するために、大きな電池９１０に印加される。さらに、大きな電池９１０が電池レセプタクルシステム９００のハウジング９１２に挿入されるとき、作動可能な機構９０６の作動可能な保持アームは、開いて大きな電池を収容するために、ピボット９０８の周りを回転する。それに応じて、作動可能な機構９０６の作動可能な保持アームが回転するとき、ねじりばね９２０は平坦化する。
【００５２】
[0065]９２８において、図１１はまた、大きな電気も小さな電池も設置されない空の電池ベイを示す。
[0066]図１２は、電池レセプタクルシステム９００のハウジング９１２に挿入された小さな電池９０２を示す。小さな電池９０２が電池レセプタクルシステム９００のハウジング９１２に挿入されると、コイルばね９２６は圧縮され、第１のデュアルコンタクトアセンブリー９０４と第２のデュアルコンタクトアセンブリー９２２との間の距離は、電池が挿入されない場合に対して相対的に増加される。しかし、小さな電池９０２は大きな電池９１０よりも短いので、大きな電池９１０がハウジングに挿入される場合よりもコイルばねの圧縮は小さい。コイルばねのばね力は、第１のデュアルコンタクトアセンブリー９０４と第２のデュアルコンタクトアセンブリー９２２との間の電気的接続を維持するために、小さな電池９０２に印加される。さらに、小さな電池９０２が電池レセプタクルシステム９００のハウジング９１２に挿入されるとき、作動可能な機構９０６の作動可能な保持アームは小さな電池を保持するために互いに向かってピボット９０８の周りを回転する。それに応じて、作動可能な機構９０６の作動可能な保持アームが回転すると、ねじりばね９２０は、作動可能な保持アームを小さな電池９０２に対して閉じたままにするためにばね力を印加するために回転する。
【００５３】
[0067]第１のデュアルコンタクトアセンブリー及び／又は第２のデュアルコンタクトアセンブリーが、大きな電池が第１のデュアルコンタクトアセンブリー及び第２のデュアルコンタクトアセンブリーと電気的に接続することを可能にするように第１の位置に対して、及び小さな電池が第１のデュアルコンタクトアセンブリー及び第２のデュアルコンタクトアセンブリーと電気的に接続することを可能にするように第２の位置に対して、移動アセンブリーを介して調整可能であることが理解されよう。言い換えると、デュアルコンタクトアセンブリーのいずれか又は両方は、移動アセンブリーに結合することができる。いくつかの実施例では、1つ又は複数のデュアルコンタクトアセンブリーは、異なるサイズ／種類の電池の製造サイズの変動を許容するために、対応する機能を含んでもよい。いくつかのそのような実施例では、デュアルコンタクトアセンブリーのいずれもが移動アセンブリーを介して可動でなくてもよい。
【００５４】
[0068]上記の構成によれば、電池レセプタクルシステムは、２つの相反する方向のいずれにおいても異なる種類の電池の挿入及び保持を提供し、また、いずれの方向においても適切な電流の流れを提供するように説明される。これにより、不適切又は誤った電池の設置の可能性が低減される。さらに、作動可能な保持アームは、含まれる場合、様々な直径の電池の長手方向の保持及びアライメントを提供し、変換アセンブリーは、含まれる場合、様々な長さの電池の横方向の保持を提供する。上述の構成は、電池レセプタクルシステムに挿入される電池の向きや種類にかかわらず、電気デバイスに対して、継続的な電気的接触及び適切な極性の電流を提供する。
【００５５】
[0069]本開示は、電池の１つの端部において突出部を備えた端子を有し、電池の反対の端部において実質的に平坦な端子を有する、円筒形もしくは長方形のプリズム又は他の形状の電池に対して広く適用可能である。そのような電池の例は、例えば、Ａ、ＡＡ、ＡＡＡ、ＡＡＡＡ、Ｃ、Ｄと呼ばれるもの又は同様のそのようなサイズ又は形状の他のものを含むことができる。さらなる例はコイン電池やボタン電池を含んでもよい。一般的な使用は正の突出部／平坦な負極の電池によるが、本発明のデバイス及び方法は、平坦な正極及び突出した負極を有する電池で使用することができることに留意されたい。
【００５６】
[0070]本発明の範囲は先の説明によってではなく添付の特許請求の範囲によって規定されるので、本明細書に記載の実施例は例示的なものであって限定的なものではないこと、及び、特許請求の範囲の境界内に入る又はそのような境界の等価なすべての変更が、したがって、特許請求の範囲によって包含されるように意図されることが理解されるべきである。
【図１Ａ】
2013511810.tif 000004
【図１Ｂ】
2013511810.tif 000005
【図２】
2013511810.tif 000006
【図３】
2013511810.tif 000007
【図４】
2013511810.tif 000008
【図５】
2013511810.tif 000009
【図６】
2013511810.tif 000010
【図７】
2013511810.tif 000011
【図８Ａ】
2013511810.tif 000012
【図８Ｂ】
2013511810.tif 000013
【図８Ｃ】
2013511810.tif 000014
【図９】
2013511810.tif 000015
【図１０】
2013511810.tif 000016
【図１１】
2013511810.tif 000017
【図１２】
2013511810.tif 000018
【国際調査報告】
2013511810.tif 000019
2013511810.tif 000020